(57)【要約】【課題】映像記録再生装置の管理外である記録装置に対しても、自装置内の記録装置の記録容量が残り少なくなった場合に、ネットワークに接続されている他の映像記録再生装置に対して、自装置に接続されている監視カメラ等の映像を記録させることができる映像記録再生装置、映像記録方法及び映像再生方法を提供する。【解決手段】ネットワークに接続された複数の映像記録再生装置間において、各装置の記録残容量等の装置情報をやり取りするため、例えば、自映像記録再生装置に接続されている監視カメラ等の映像を記録する際に、自映像記録再生装置内の記録装置の残容量が不足している場合に、他の映像記録再生装置に対して映像データを転送して記録する。【選択図】図１
2006287876.tif 000002
【特許請求の範囲】
【請求項１】
ネットワーク上で構成される監視システムにおいて監視カメラにより撮影された映像を複数の映像記録再生装置で記録、再生する映像記録再生装置であって、
前記映像記録再生装置の各々は、
前記映像を撮影する撮影手段と、
前記映像または前記ネットワーク上に接続されている他の映像記録再生装置からの映像を自記録装置に記録する制御を行い、該自記録装置の記録容量の残容量を監視する映像記録管理部と、
前記撮影手段からのイベント情報を検出するイベント検出部と、
前記ネットワークを介して送受信を管理するＮＷ管理部と、
所定のタイミングで受信した前記ネットワーク上の他の映像記録再生装置の装置情報を管理する装置情報管理部と、
ユーザインターフェースであるＧＵＩ管理部と、
前記ＧＵＩ管理部からの再生要求または前記ネットワーク上に接続されている他の映像記録再生装置からの再生要求に従って、前記装置情報管理部に再生を要求されている映像が自映像記録再生装置内に記録されているか前記ネットワーク上の他の映像記録再生装置に記録されているかを判定して、該当の映像記録再生装置から映像を読み出し、再生を制御する映像再生管理部と、
前記映像再生管理部から読み出された映像を復号化する映像復号化部と、
を備える映像記録再生装置。
【請求項２】
ネットワーク上で構成される監視システムにおいて撮影手段により撮影された映像を複数の映像記録再生装置で記録、再生する映像記録再生方法における映像記録方法であって、
自映像記録再生装置に接続されている前記撮影手段からの映像を自記録装置に記録する際に、前記自記録装置の記録容量をチェックして、所定のタイミングで前記自映像記録再生装置の装置情報を前記ネットワーク上に接続されている他の映像記録再生装置に対して送信を行い、また、前記自映像記録再生装置に送信されてくる他の映像記録再生装置の装置情報を保存し、残りの記録容量が記録するのに必要な容量を下回る場合に、これらの装置情報から記録可能な映像記録再生装置を検出して、前記自映像記録再生装置に接続されている撮影手段の映像を前記検出された映像記録再生装置で記録し、また、前記ネットワーク上に接続されている他の映像記録再生装置において記録容量不足により前記自映像記録再生装置に転送されてくる映像を記録する映像記録方法。
【請求項３】
ネットワーク上で構成される監視システムにおいて撮影手段により撮影された映像を複数の映像記録再生装置で記録、再生する映像記録再生方法における映像再生方法であって、
自映像記録再生装置の記録媒体の記録容量不足により、前記自映像記録再生装置に接続されている撮影手段の映像を他の映像記録再生装置に転送して記録した映像について、再生を行う場合に、前記記録媒体の所定領域に記録された転送情報から転送先の映像記録再生装置の装置情報を読み出して、要求された映像が前記他の映像記録再生装置内の記録媒体にある場合には、前記ネットワークを介して、該当する映像記録再生装置に対して、該当映像を出力するように要求パケットを送信することにより、該当映像を再生する映像再生方法。
【発明の詳細な説明】
【技術分野】
【０００１】
本発明は、監視カメラ等により撮影された映像をネットワークに接続された複数の映像記録再生装置で分散記録再生管理を行う映像記録再生装置、映像記録方法及び映像再生方法に関する。
【背景技術】
【０００２】
インターネット等のネットワーク技術の普及に伴い、遠隔地における監視カメラの映像を監視カメラが設置されている場所とは離れた場所でネットワークを介してモニタする監視システムが増加している。
【０００３】
このような場合に、監視カメラの映像は、監視カメラが接続されている、例えば、ディスクレコーダといった記録機器や記録媒体に記録される。
【０００４】
また、映像を記録する際に、記録している記録機器の記録容量が残り少なくなってきた場合には、残量が少なくなっていることを示すアラームを発生させ、機器管理者に警告を発し、記録機器を取り替えたり、容量を増加させる等の対策が必要となってくる。この場合に、すぐに対処ができれば問題はないが、そのためには、随時、監視員がそばに常駐して監視する必要がある。さらに、人手による記録機器の取り替えは、重要なアラーム情報の記録をとり逃す原因になることも考えられ、監視システムとしては問題となってくる。
【０００５】
このため、記録容量の残量が少なくなった場合には、自動的に記録容量に余裕のある記録機器や記録媒体に記録先を変更する等ができることが望ましい。
【０００６】
このような記録容量の残容量不足時に、他の記録媒体に代えて、記録を継続させる方法として、例えば特許文献１に記載されたものが知られている。
【０００７】
図９は、特許文献１に開示された従来の方法を説明するための図である。このように、あるコンテンツデータを記録装置に記録する場合、同一記録装置内の複数の記録装置（ＨＤＲ１、ＨＤＲ２、ＨＤＲ３）が、例えば、ＩＥＥＥ１３９４等のディジタルインターフェースを介して接続されているため、最初に記録を始めたＨＤＲ１の記録容量が少なくなってきた時には、次のＨＤＲ２に続けて記録を行う。さらに、ＨＤＲ２の記録容量が残り少なくなってきた時には、次のＨＤＲ３に続けて記録を行うようにすることで、記録容量が少なくなってきた場合でも、続けて他の記録装置に記録ができるというものである。
【０００８】
【特許文献１】特開２００４−１９９８００号公報
【発明の開示】
【発明が解決しようとする課題】
【０００９】
しかしながら、上述したような従来の方法では、同一装置内に複数の記録装置が存在していて、かつ、それらの記録装置が存在することを予め知っていなければ、このような記録装置の記録容量が残り少なくなってきた場合の制御を行うことができない。即ち、例えば、記録再生装置等の自装置が管理していない記録装置に対して、自装置の記録装置の残量不足から、他の記録装置にコンテンツデータを転送して記録させることはできない。
【００１０】
本発明は、係る事情に鑑みてなされたものであり、映像記録再生装置の管理外である記録装置に対しても、自装置内の記録装置の記録容量が残り少なくなった場合に、ネットワークに接続されている他の映像記録再生装置に対して、自装置に接続されている監視カメラ等の映像を記録させることができる映像記録再生装置、映像記録方法及び映像再生方法を提供することを目的とする。
【課題を解決するための手段】
【００１１】
上記目的は下記構成及び方法により達成される。
（１）  ネットワーク上で構成される監視システムにおいて監視カメラにより撮影された映像を複数の映像記録再生装置で記録、再生する映像記録再生装置であって、前記映像記録再生装置の各々は、前記映像を撮影する撮影手段と、前記映像または前記ネットワーク上に接続されている他の映像記録再生装置からの映像を自記録装置に記録する制御を行い、該自記録装置の記録容量の残容量を監視する映像記録管理部と、前記撮影手段からのイベント情報を検出するイベント検出部と、前記ネットワークを介して送受信を管理するＮＷ管理部と、所定のタイミングで受信した前記ネットワーク上の他の映像記録再生装置の装置情報を管理する装置情報管理部と、ユーザインターフェースであるＧＵＩ管理部と、前記ＧＵＩ管理部からの再生要求または前記ネットワーク上に接続されている他の映像記録再生装置からの再生要求に従って、前記装置情報管理部に再生を要求されている映像が自映像記録再生装置内に記録されているか前記ネットワーク上の他の映像記録再生装置に記録されているかを判定して、該当の映像記録再生装置から映像を読み出し、再生を制御する映像再生管理部と、前記映像再生管理部から読み出された映像を復号化する映像復号化部と、を備える。
【００１２】
（２）  ネットワーク上で構成される監視システムにおいて撮像手段により撮影された映像を複数の映像記録再生装置で記録、再生する映像記録再生方法における映像記録方法であって、自映像記録再生装置に接続されている前記撮影手段からの映像を自記録装置に記録する際に、前記記録装置の記録容量をチェックして、所定のタイミングで前記自映像記録再生装置の装置情報を前記ネットワーク上に接続されている他の映像記録再生装置に対して送信を行い、また、前記自映像記録再生装置に送信されてくる他の映像記録再生装置の装置情報を保存し、残りの記録容量が記録するのに必要な容量を下回る場合に、これらの装置情報から記録可能な映像記録再生装置を検出して、前記自映像記録再生装置に接続されている撮影手段の映像を前記検出された映像記録再生装置で記録し、また、前記ネットワーク上に接続されている他の映像記録再生装置において記録容量不足により前記自映像記録再生装置に転送されてくる映像を記録する。
【００１３】
（３）  ネットワーク上で構成される監視システムにおいて撮影手段により撮影された映像を複数の映像記録再生装置で記録、再生する映像記録再生方法における映像再生方法であって、自映像記録再生装置の記録媒体の記録容量不足により、前記自映像記録再生装置に接続されている撮影手段の映像を他の映像記録再生装置に転送して記録した映像について、再生を行う場合に、前記記録媒体の所定領域に記録された転送情報から転送先の映像記録再生装置の装置情報を読み出して、要求された映像が前記他の映像記録再生装置内の記録媒体にある場合には、前記ネットワークを介して、該当する映像記録再生装置に対して、該当映像を出力するように要求パケットを送信することにより、該当映像を再生する。
【発明の効果】
【００１４】
上記（１）に記載の映像記録再生装置では、映像記録再生装置において記録容量が残り少なくなった場合に、記録容量に余裕のあるネットワーク上に接続されている他の映像記録再生装置に自装置に接続されている撮影手段の映像を転送して記録でき、かつ、１つの映像が分散されて複数の映像記録再生装置に記録されている場合に連続的に再生を行うことが可能となる。
【００１５】
上記（２）に記載の映像記録方法では、映像記録再生装置において記録容量が残り少なくなった場合に、記録容量に余裕のあるネットワーク上に接続されている他の映像記録再生装置に自装置に接続されている撮影手段の映像を転送して記録することが可能となる。
【００１６】
上記（３）に記載の映像再生方法では、映像記録再生装置において記録容量が残り少なくなった場合に、記録容量に余裕のあるネットワーク上に接続されている他の映像記録再生装置に自装置に接続されている撮影手段の映像を転送して記録することにより、複数の映像記録再生装置に分散記録された映像を連続的に再生することが可能となる。
【発明を実施するための最良の形態】
【００１７】
以下、本発明の実施の形態について、図面を用いて詳細に説明する。
【００１８】
図１は、本発明の実施の形態に係る映像記録再生装置のシステム構成を示すシステム構成図である。この図において、本システムは、複数の入力装置１０１ａ〜１０１ｃと、映像記録再生装置１０２ａ〜１０２ｃとから構成されており、映像記録再生装置１０２ａ〜１０２ｃは、ネットワーク（ＮＷ）１００を介して接続されている。映像記録再生装置１０２ａ（１０２ｂ、１０２ｃ）は、外部端子管理部、映像符号化部、映像記録管理部、イベント検出部、ＮＷ管理部、装置情報管理部、ＧＵＩ管理部、映像再生管理部、映像復号化部を有している。例えば、監視カメラのような入力装置１０１ａから、動き検出等のイベントが出力されて、映像記録再生装置１０２ａに入力される。このイベントに従って、映像記録再生装置１０２ａにおいて記録が開始される。しかしながら、映像記録再生装置１０２ａ内の記録装置（ここでは、図示せず）の記録可能な残容量に余裕が無くなった場合に、ネットワーク１００に接続されている他の映像記録再生装置１０２ｂ又は１０２ｃに対して、自映像記録再生装置に接続されている監視カメラ等の入力装置１０１ａからの映像を転送して記録する。また、同時に映像記録再生装置１０２ａを管理する管理者に対して記録容量が不足している旨を示すアラームを発報する。
【００１９】
次に、本システムを構成する映像記録再生装置１０２ａ（１０２ｂ、１０２ｃ）の映像記録再生方法について詳しく説明する。
【００２０】
図２は、本実施の形態の映像記録方法を説明するためのフローチャートである。まず、イベント検出判定ステップ（Ｓ２０１）にて、イベントが入力されたかどうかをチェックする。ここでのイベントとは、監視カメラ等からの映像に動きが検出されると判定される画像処理等で検出される動き検出イベントや、監視カメラ等の接続ケーブルが切断された場合のビデオロスイベントや、外部端子からのイベントといったものである。ただし、これら上記のイベントに限定されるものではない。このようなイベントが入力されていれば、次に記録容量判定ステップ（Ｓ２０２）にて、自装置内の記録容量が足りているのかどうかを自装置内の記録容量が保持されているメモリ内の情報を読み出し判定する。この記録容量に関する情報の記録方法に関しては、後で説明する。もし、記録容量が記録するのに足りていれば、映像記録ステップ（Ｓ２０３）にて、自装置内の記録装置に対して、対象の監視カメラ等からの映像を記録開始する。
【００２１】
また、もし、残りの記録容量が記録するのに不足していると判定されれば、次に容量不足アラーム発報ステップ（Ｓ２０５）にて、容量不足が発生している旨を示すアラームを発報して、管理者に物理的に記録容量を増やすか記録されているデータを退避させて記録容量を増やすかの対策を促す。
【００２２】
続いて、他映像記録再生装置の容量チェックステップ（Ｓ２０６）にて、格納されている他の映像記録再生装置の記録容量情報を調べ、次の転送可能判定ステップ（Ｓ２０７）にて、記録容量に余裕のある映像記録再生装置が存在するか否かを判定する。
【００２３】
転送可能判定ステップ（Ｓ２０７）にて、記録容量に余裕のある映像記録再生装置が存在すると判定されれば、転送先の情報を転送記録テーブルとして自装置内のメモリに保持しておく。この転送記録テーブルのフォーマットについては、後で説明する。そして、映像転送処理ステップ（Ｓ２０８）にて、転送可能と判定されれば、選択された映像記録再生装置に対してイベントが発生した監視カメラ等の映像をＵＤＰ（User Datagram Protocol）パケットで送信する。ただし、この映像の送信に関しては、ＴＣＰ（Transmission Control Protocol）通信であっても良いし、どのような方法でも構わない。
【００２４】
その後、所定時間経過判定ステップ（Ｓ２０４）にて、予め設定された所定時間後に映像の記録を停止する。この時、記録容量判定ステップ（Ｓ２０２）にて自装置内の記録容量の残容量不足だと判定され、他の映像記録再生装置に対して自映像記録再生装置に接続されている監視カメラ等の映像を転送している場合には、この転送処理を停止すると共に転送先の映像記録再生装置に対して、記録を停止するようにＣＧＩ（Common Gateway Interface）コマンドを送信する。ただし、ここでは、コマンドの送信方法としてＣＧＩによる方法を説明したが、ＴＣＰ通信やＵＤＰ通信によりコマンドを送信しても良いし、どのような方法であっても構わない。
【００２５】
また、他映像記録再生装置の容量チェックステップ（Ｓ２０６）にて、ネットワークに接続されている他の映像記録再生装置の全ての記録装置の残容量が発生したイベントを記録できないと判定された場合には、転送可能判定ステップ（Ｓ２０７）にて転送可能な映像記録再生装置が存在しないと判定する。
【００２６】
次に、予め装置管理者がネットワーク上に接続されている転送可能な映像記録再生装置が無いような緊急事態に対して緊急のアラームを出力するのか、それとも、自記録装置の先頭に上書きするかを設定しておき、例えば、緊急のアラームを出力するように設定されていれば、緊急処理判定ステップ（Ｓ２０９）にて、緊急処理を選択し、次の緊急アラーム発報ステップ（Ｓ２１０）にて管理者がクリアするまで繰り返し緊急アラームが発報され続ける。管理者が、記録されている記録装置の内容を別の記録装置に退避させ緊急アラームを解除すると、自記録装置の先頭から記録するようになる。
【００２７】
また、予め装置管理者がこのような緊急事態に対して、自記録装置の先頭から上書きするように設定している場合には、ループ処理ステップ（Ｓ２１１）にて、記録するアドレスを記録装置の先頭に戻して、次の映像記録ステップ（Ｓ２０３）にて、映像の記録を行う。
【００２８】
以上説明した緊急モードは、映像記録再生装置を管理する管理者が予め緊急モードを指定しておき、アラームモードの場合は緊急アラームが発報され、上書きモードの場合は、緊急時には、記録装置の先頭から上書き記録される。この緊急モードは、ネットワーク上の全ての映像記録再生装置の残容量が残り少ない場合であり、自映像記録装置の記録可能な残容量が無い場合、全ての映像記録再生装置に記録容量に余裕がある限りは、イベント発生の映像をとり逃すことはない。また、自映像記録装置の記録可能な残容量が無い場合で、かつ、全ての映像記録再生装置に記録容量に余裕がない場合には、緊急モードに入り、過去のイベントを残すか、新しいイベントを記録するかの優先付けを行う選択ができる。
【００２９】
ここで、記録容量が記録するのに過不足ないかどうかをチェックする方法について説明する。先に説明した記録容量をチェックした容量をＸ［バイト］として、予め設定された記録レートをＹ［バイト／秒］、イベント発生後に記録する時間をＺ［秒］とすると、必要な記録容量Ａ［バイト］は、以下の（１）式ように算出できる。
Ａ＝Ｙ×Ｚ［バイト］          （１）
【００３０】
よって、算出されたＡ値と残容量のＸ値を比較して、自装置内の記録装置に記録が可能かどうかを判定する。
【００３１】
次に、上述した自装置内の記録装置の残容量が不足していて、他の映像記録再生装置に対して、自装置の監視カメラ等の映像を転送して記録した場合の転送情報の格納フォーマットについて図３を用いて説明する。映像記録再生装置内の映像記録管理部は、図３に示すような他映像記録再生装置への転送記録テーブルを有する。このテーブルには、転送先のＩＰアドレス、イベント発生時刻、監視カメラ等のチャネル番号、発生したイベント種別といった情報を格納する。ここで、ＶＭＤとはＶｉｄｅｏ Ｍｏｔｉｏｎ Ｄｅｔｅｃｔｉｏｎの略で、動き検出イベントを示し、ＬＯＳＳとはビデオロスイベント、ＣＯＭは外部端子イベントを示す。
【００３２】
次に、映像記録再生装置が他映像記録再生装置情報を受信した場合の処理手順を図４を用いて説明する。まず、他装置情報受信判定ステップ（Ｓ４０１）にて、他の映像記録再生装置から、他装置の記録装置情報を受信しているかどうかをチェックする。もし、受信していなければ、再び、他装置情報受信判定ステップにて判定を繰り返す。ここで、他装置情報を受信していれば、次に他装置情報格納ステップ（Ｓ４０２）にて、他映像記録再生装置の記録装置に関する情報を受信したパケットから取り出し、取り出した装置情報をメモリに格納する。この時、既に他映像記録再生装置の装置情報が格納されていれば、該当装置の装置情報を更新する。
【００３３】
ネットワークに接続された映像記録再生装置内の記録装置の残容量は図５に示す残容量記録管理テーブルで管理される。この残容量記録管理テーブルに、各映像記録再生装置のＩＰアドレスと残容量、更新時間をそれぞれ格納する。各映像記録再生装置の装置情報は、予め設定した時間毎に、例えば、同一のサブネット番号のＩＰアドレスを持つ全ての映像記録再生装置に対して送信するといった方法で行う。
【００３４】
次に、この装置情報の送信方法について図６を用いて説明する。映像記録再生装置の装置情報管理部は記録容量チェック時間判定ステップ（Ｓ６０１）にて、記録容量のチェック時間かどうかを判定する。この記録容量チェックは、所定のタイミングで随時行われる。例えば、毎分行うといったスケジューリングで実施する。もし、記録容量のチェックするタイミングであれば、次の記録容量チェックステップ（Ｓ６０２）にて、記録容量のチェックを行う。このチェック処理は、記録装置に後何Ｂ（バイト）の空き容量があるのかをチェックするものである。
【００３５】
チェックした結果の情報を先に説明した図５のフォーマットに従って、記録内容格納ステップ（Ｓ６０３）にて、自装置の記録装置情報としてメモリ内の自装置情報を更新する。また、同時に、自装置情報送信ステップ（Ｓ６０４）にて、他の映像記録再生装置に対しても、自装置の記録装置情報を送信する。この送信処理では、例えば、同一のサブネット番号のＩＰアドレスを持つ全ての映像記録再生装置に対して送信する。
【００３６】
このようにして、自映像記録再生装置に記録できない自映像記録再生装置に接続されている監視カメラ等の映像を他の映像記録再生装置に記録することが可能となる。
【００３７】
なお、上記では、自映像記録再生装置内の記録装置に記録できない場合を説明したが、ネットワーク上に接続されている他の映像記録再生装置において記録容量不足により映像が転送されてくる場合の記録フローは同様である。即ち、ネットワークから入力される転送記録イベントをイベント検出ステップ（Ｓ２０１）にて検出して、以下同様の処理が行われる。
【００３８】
次に、映像記録再生装置の映像再生管理部が上述したように分散記録された記録内容を再生する方法について図７を用いて説明する。まず、再生指示チェックステップ（Ｓ７０１）にて、再生指示が入力されているかどうかをチェックする。再生指示が入力されていなければ、再び再生指示チェックステップ（Ｓ７０１）に戻り、繰り返しチェックを行う。再生指示が入力されていれば、次に、入力された時刻、チャネル情報、イベント種別情報を元に、記録先チェックステップ（Ｓ７０２）にて、先に説明した他映像記録再生装置への転送記録テーブルを参照して、自装置に接続している監視カメラ等の映像が、他の映像記録再生装置に転送して記録されているかどうかをチェックする。他の映像記録再生装置に映像が転送されていなければ、再生映像出力ステップ（Ｓ７０５）にて、自装置内の記録装置から該当する映像を読み出し、映像を出力する。また、再生要求されているチャネル番号、イベント種別、イベント発生時間が、先に説明した他映像記録再生装置への転送記録テーブルに存在している場合、他の映像記録再生装置に映像が転送されているため、再生映像出力依頼送信ステップ（Ｓ７０３）にて、該当する転送先のＩＰアドレスを持つ映像記録再生装置に対して、該当する映像を出力するよう、再生要求をＣＧＩコマンドを用いて送信する。ただし、ここでは、コマンドの送信方法をＣＧＩとしたが、ＴＣＰ通信やＵＤＰ通信によりコマンドを送信しても良いし、どのような方法であっても構わない。そして、他装置からの再生映像受信ステップ（Ｓ７０４）にて、該当する映像を受信して、再生映像出力ステップ（Ｓ７０５）を実行する。
【００３９】
以上のような映像再生方法により、自映像記録再生装置に記録できなかった自映像記録再生装置に接続されている監視カメラ等の映像を再生することが可能となる。
【００４０】
次に、上述した映像記録再生装置１０２ａ（１０２ｂ、１０２ｃ）の構成について図８を用いて詳細に説明する。映像記録再生装置１０２ａ（１０２ｂ、１０２ｃ）は、外部端子管理部８０１と、映像符号化部８０２と、映像記録管理部８０３と、イベント検出部８０４と、ＮＷ管理部８０５と、装置情報管理部８０６と、ＧＵＩ管理部８０７と、映像再生管理部８０８と、映像復号化部８０９と、記録装置８１０とから構成されている。
【００４１】
まず、記録のフローに従って説明する。カメラや外部端子からイベントが発生して外部端子管理部８０１にてイベントを検出する。次に、イベント検出部８０４にて検出されたイベントの種別を判定する。先に説明したＶＭＤイベント、ＬＯＳＳイベント、ＣＯＭイベントといった種別の判定を行う。次に、映像記録管理部８０３にて、記録装置８１０の残容量をチェックする。先に説明した（１）式により記録可能かどうかを判定して、記録可能であれば、イベントを検出した該当するチャネルの映像を外部端子管理部８０１にて取り込む。取り込んだ映像を映像符号化部８０２にて符号化して、符号化した映像を映像記録管理部８０３に出力して、記録装置８１０に記録する。また、記録時間は予め設定されており、設定された時間が経過後に外部端子管理部８０１からイベントが発生した該当のチャネル番号の監視カメラ等の映像の取り込みを停止する。また、映像記録管理部８０３にて、記録装置８１０の残容量をチェックして（１）式により記録不可と判定されれば、イベント検出部８０４へ記録不可である結果を出力して、装置情報管理部８０６に他の映像記録再生装置に空きがあるかどうかを問い合わせる。装置情報管理部８０６にて空きがある映像記録再生装置があれば、その映像記録再生装置の装置情報に転送したことを図３のフォーマットに従って記録して、その映像記録再生装置の装置情報であるＩＰアドレスをＮＷ管理部８０５に出力する。ＮＷ管理部８０５は、映像符号化部８０２にて符号化された映像データをパケット化して、該当するＩＰアドレスの映像記録再生装置に対して、ＮＷ管理部８０５から送信する。
【００４２】
次に、再生のフローに従って説明する。まず、ユーザインターフェースであるＧＵＩ（Graphical User Interface）からＧＵＩ管理部８０７にて再生要求を受信する。次に、映像再生管理部８０８にて、再生要求の情報からイベント種別、イベント発生時刻、チャネル番号等の再生情報を取り出し、自記録装置に記録されている映像データかどうかを装置情報管理部８０６に問い合わせる。問い合わせた結果、自記録装置内に記録されている映像データであれば、該当する映像データを自装置内の記録装置８１０から読み出し、映像復号化部８０９に出力して復号化し、ＧＵＩ管理部８０７からユーザ画面に再生映像が表示される。また、問い合わせた結果、自記録装置内に記録されていない映像データである場合に、映像再生管理部８０８にて、転送先のＩＰアドレス情報を装置情報管理部８０６から受け取り、イベント種別、イベント発生時刻、チャネル番号といった再生情報をパケット化し、該当する転送先のＩＰアドレスを持つ映像記録再生装置に対して、映像の出力要求をＮＷ管理部８０５から送信する。その後、送信要求を出した結果の映像をＮＷ管理部８０５で受信すると、映像再生管理部８０８に出力され、受信パケットから符号化された映像データを取り出し、映像復号化部８０９に出力し復号化する。次に、復号化した映像データをＧＵＩ管理部８０７に出力してユーザ画面に再生映像が表示される。
【００４３】
次に、映像記録再生装置内の記録情報を管理するフローに従って説明する。記録情報は、映像記録管理部８０３にて、ある一定の周期毎にチェックされる。チェックした結果を装置情報管理部８０６に出力して、出力された記録情報を図５のフォーマットに従ってメモリに格納する。次に、装置情報管理部８０６に出力された記録情報を他の映像記録再生装置に送信するために記録情報をパケット化してＮＷ管理部８０５に出力し、例えば、同じサブネットのＩＰアドレスを持つネットワーク上の全ての映像記録再生装置に対して、ＮＷ管理部８０５から送信する。
【００４４】
また、他の映像記録再生装置からの記録情報をＮＷ管理部８０５にて受信した後、受信したパケットから装置情報を取り出し、取り出した装置情報を装置情報管理部８０６に出力して、図５のフォーマットに従ってメモリに格納する。
【００４５】
以上のような装置構成により、自映像記録再生装置に残容量不足から記録できない場合に、自映像記録再生装置に接続されている監視カメラ等の映像をネットワーク上の他の映像記録再生装置に転送し記録すると同時に、記録容量不足アラームを発報し、装置管理者に対して記録容量不足を知らせ、かつ、ネットワーク上の他の映像記録再生装置に対して映像を転送し記録しているため、重要なイベント情報をとり逃すことがなくなり、さらに、自映像記録再生装置内の記録装置に記録できなかった自映像記録再生装置に接続されている監視カメラ等の映像を、転送先の映像記録再生装置から読み出して再生することができる映像記録再生装置を実現することができる。
【産業上の利用可能性】
【００４６】
本発明は、映像記録再生装置において記録容量が残り少なくなった場合に、記録容量に余裕のあるネットワーク上に接続されている他の映像記録再生装置に自装置に接続されている監視カメラなどの映像を転送して記録でき、かつ、１つの映像が分散されて複数の映像記録再生装置に記録されている場合に連続的に再生を行うことが可能となるという効果を有し、監視カメラシステムなどに用いて有用である。
【図面の簡単な説明】
【００４７】
【図１】本発明の実施の形態に係る映像記録再生装置のシステム構成を示すシステム構成図
【図２】本発明の実施の形態における映像記録方法を説明するためのフローチャート
【図３】本発明の実施の形態における他の映像記録再生装置への転送記録テーブルを示す図
【図４】本発明の実施の形態における他の映像記録再生装置からの装置情報を受信した場合の処理手順を説明するためのフローチャート
【図５】本発明の実施の形態における記録装置の残容量を管理する残容量記録管理テーブルを示す図
【図６】本発明の実施の形態における自映像記録再生装置の装置情報を他の映像記録再生装置に対して送信する動作を説明するためのフローチャート
【図７】本発明の実施の形態における映像再生方法を説明するためのフローチャート
【図８】本発明の実施の形態における映像記録再生装置の構成を示すブロック図
【図９】従来例を説明するための図
【符号の説明】
【００４８】
１００  ネットワーク
１０１ａ、１０１ｂ、１０１ｃ  入力装置
１０２ａ、１０２ｂ、１０２ｃ  映像記録再生装置
８０１  外部端子管理部
８０２  映像符号化部
８０３  映像記録管理部
８０４  イベント検出部
８０５  ＮＷ管理部
８０６  装置情報管理部
８０７  ＧＵＩ管理部
８０８  映像再生管理部
８０９  映像復号化部
８１０  記録装置
【図１】
2006287876.tif 000003
【図２】
2006287876.tif 000004
【図３】
2006287876.tif 000005
【図４】
2006287876.tif 000006
【図５】
2006287876.tif 000007
【図６】
2006287876.tif 000008
【図７】
2006287876.tif 000009
【図８】
2006287876.tif 000010
【図９】
2006287876.tif 000011